(57)【要約】      （修正有）【課題】本物に見える燭光を模擬した電子ロウソクを提供する。【解決手段】燭光を模擬した電子ロウソクは、本体シェル１と本体台座２を含み、本体シェルと本体台座とが接続され、本体シェルと本体台座により格納空間を形成し、本体シェルの上端にそれぞれ灯心３、筐体通孔１０１と背景壁１０２が設置され、灯心が筐体通孔と背景壁との間に設置され、格納空間に固定架とレンズ固定台５が取り付けられており、固定架とレンズ固定台とがヒンジで連結させ、格納空間にはレンズ固定台を固定架の回りに揺動駆動するための揺動機構にがさらに取り付けられており、固定架とレンズ固定台にそれぞれ発光素子１２とレンズ７が取り付けられており、発光素子とレンズとの間に間隙が設置され、通電時、発光素子の光線が順次にレンズと筐体通孔を貫通し、筐体通孔から射出した光線が背景壁に投射して火焔を形成する。【選択図】図６
0003194795.tif 000002
【実用新案登録請求の範囲】
【請求項１】
相互に接続される本体シェル（１）と本体台座（２）とを含み、前記本体シェル（１）と本体台座（２）とが格納空間を形成し、前記本体シェル（１）の上端に、灯心（３）と筐体通孔（１０１）と背景壁（１０２）が設置され、前記灯心（３）は、前記筐体通孔（１０１）と背景壁（１０２）との間に設置され、前記格納空間には、固定架（４）とレンズ固定台（５）とが配置され、前記格納空間に、前記レンズ固定台（５）を固定架（４）の回りに揺動駆動する揺動機構が取り付けられ、前記固定架（４）に発光素子（１２）が、前記固定台（５）に凸レンズ（７）が取り付けられており、前記発光素子（１２）と凸レンズ（７）との間に間隙が形成され、通電時、前記発光素子（１２）からの光線が、前記凸レンズ（７）と筐体通孔（１０１）とを通り、前記筐体通孔（１０１）から射出された光線が、前記背景壁（１０２）に投射して火焔を写しだし、前記揺動機構が前記レンズ固定台（５）を駆動して、前記凸レンズ（７）が揺動すると、前記凸レンズ（７）により背景壁（１０２）に投射された火焔である炎が揺れ動く
ことを特徴とする燭光を模擬した電子ロウソク。
【請求項２】
前記本体シェル（１）の上端に凹溝（１０３）が形成され、前記凹溝（１０３）の底部に、前記灯心（３）と筐体通孔（１０１）がそれぞれ設置され、前記凹溝（１０３）と背景壁（１０２）が一体に成型されている
ことを特徴とする請求項１に記載の電子ロウソク。
【請求項３】
前記背景壁（１０２）の縦断面の形状はアーク形状である
ことを特徴とする請求項２に記載の燭光を模擬した電子ロウソク。
【請求項４】
前記背景壁（１０２）の縦断面の形状はアーク形状である
ことを特徴とする請求項１〜３のうちの何れか一項に記載の電子ロウソク。
【請求項５】
前記揺動機構は、格納空間に取り付けられる制御回路を含み、前記レンズ固定台（５）と固定架（４）に、それぞれ磁石（８）と電磁コイル（９）とが装着され、前記制御回路が電磁コイル（９）に電気的に接続され、通電時、前記電磁コイル（９）が磁性を生じ、前記電磁コイル（９）と磁石（８）とが相互に引きつけ合ったり反発したりする
ことを特徴とする請求項１に記載の電子ロウソク。
【請求項６】
前記揺動機構が格納空間に取り付けられる扇風機（１５）を含み、前記レンズ固定台（５）の上方にバッフル（１６）が設置されており、通電時、前記扇風機（１５）から生じる風力が前記バッフル（１６）を揺動させる
ことを特徴とする請求項１に記載の電子ロウソク。
【請求項７】
前記揺動機構が格納空間に取り付けられるモーター（１７）を含み、前記レンズ固定台（５）に揺れ腕（１８）が設置され、前記モーター（１７）のブッシュに揺れ腕（１８）と当接するカム（１９）が設置され、通電時、前記モーター（１７）がカム（１９）を回動駆動し、前記カム（１９）が前記揺れ腕（１８）を揺動駆動する
ことを特徴とする請求項１に記載の電子ロウソク。
【請求項８】
前記固定架（４）には発光素子（１２）を収容するための取付孔（４３）が形成され、先記固定架（４）は、相互に嵌まり込む左固定架（４１）と右固定架（４２）とを含み、前記取付孔（４３）がそれぞれ左固定架（４１）と右固定架（４２）に対称に成型される両半分に分かれる
ことを特徴とする請求項１に記載の電子ロウソク。
【請求項９】
前記固定架（４）に揺動ホルダ（１０）が装着され、前記レンズ固定台（５）にアーチ形のホルダ（１１）が設置され、前記揺動ホルダ（１０）が前記ホルダ（１１）の内側を貫通し、前記ホルダ（１１）と揺動ホルダ（１０）とがヒンジで連結される
ことを特徴とする請求項１に記載の電子ロウソク。
【請求項１０】
前記本体シェル（１）に光照強度を検知する光センサー（６）が設置される
ことを特徴とする請求項１に記載の電子ロウソク。
【請求項１１】
前記発光素子（１２）がＬＥＤ変色灯である
ことを特徴とする請求項１に記載の電子ロウソク。
【請求項１２】
前記発光素子（１２）と凸レンズ（７）との間に変色板（１２１）が設置され、前記変色板（１２１）がホルダー（１２２）を介して固定架（４）に取り付けられ、通電時、前記発光素子（１２）の光線が、前記変色板（１２１）、凸レンズ（７）と筐体通孔（１０１）を貫通し、前記筐体通孔（１０１）から射出された光線が背景壁（１０２）に投射する
ことを特徴とする請求項１に記載の電子ロウソク。
【請求項１３】
前記固定架（４）に取り付けられる光制御スイッチ（２２）を更に含み、前記光制御スイッチ（２２）が発光素子（１２）に接続される
ことを特徴とする請求項１に記載の電子ロウソク。
【請求項１４】
前記光制御スイッチ（２２）に、前記発光素子（１２）と接続される遅延装置が接続されている
ことを特徴とする請求項１３に記載の電子ロウソク。
【考案の詳細な説明】
【技術分野】
【０００１】
本考案は、電子発光装置の技術分野に関し、特に燭光を模擬した電子ロウソクに関する。
【背景技術】
【０００２】
従来ロウソクを照明灯具と使用していたが、電気光源の普遍的な使用により、その照明機能が失われ、ロウソクへの需要も、実用から観賞用になっている。このため、電子閃光ロウソク、音楽ロウソク、灯油灯等に似せたさまざまな電子ロウソク（発光）装置が出現している。
従来技術の電子ロウソクは、発光素子と、火焔シートと、可動火焔シートと、揺動機構とを含む。火焔シートの外形は、ロウソクが点灯された後（発光素子の通電後）の火焔形状を模擬している。発光素子の通電後、火焔シートが揺動機構の作用で揺れ動き、発光素子の発した光線が火焔シートに投影し、あたかも実際のロウソクの炎のように揺れ動いて見える。しかし、通電していない場合、揺動機構と発光素子とも、作動を停止し、火焔シートが実際のロウソクの炎のようには見えず、実際のロウソクの消灯時の状態と大きく異なってしまう。このような装置は、実際のロウソクには見えず、偽物のロウソク装置であると認識されてしまう。
【考案の概要】
【考案が解決しようとする課題】
【０００３】
上記従来の技術の欠点に対して、本考案は、通電状態と非通電状態を問わず、真にロウソクの効果（炎）を模擬し、偽のロウソクを本物のロウソクに見えるようにし、真に迫る燭光（炎）を模擬した電子ロウソクを提供する。
【課題を解決するための手段】
【０００４】
上記の目的を達成する為に、本考案の燭光を模擬した電子ロウソクは、相互に接続される本体シェル（１）と本体台座（２）とを含み、前記本体シェル（１）と本体台座（２）とが格納空間を形成し、前記本体シェル（１）の上端に、灯心（３）と筐体通孔（１０１）と背景壁（１０２）が設置され、前記灯心（３）は、前記筐体通孔（１０１）と背景壁（１０２）との間に設置され、前記格納空間には、固定架（４）とレンズ固定台（５）とが配置され、前記格納空間に、前記レンズ固定台（５）を固定架（４）の回りに揺動駆動する揺動機構が取り付けられ、前記固定架（４）に発光素子（１２）が、前記固定台（５）に凸レンズ（７）が取り付けられており、前記発光素子（１２）と凸レンズ（７）との間に間隙が形成され、通電時、前記発光素子（１２）からの光線が、前記凸レンズ（７）と筐体通孔（１０１）とを通り、前記筐体通孔（１０１）から射出された光線が、前記背景壁（１０２）に投射して火焔を写しだし、前記揺動機構が前記レンズ固定台（５）を駆動して、前記凸レンズ（７）が揺動すると、前記凸レンズ（７）により背景壁（１０２）に投射された火焔である炎が揺れ動く。
本考案の一実施例によれば、前記本体シェル（１）の上端に凹溝（１０３）が形成され、前記凹溝（１０３）の底部に、前記灯心（３）と筐体通孔（１０１）がそれぞれ設置され、前記凹溝（１０３）と背景壁（１０２）が一体に成型されている。
本考案の一実施例によれば、前記背景壁（１０２）の縦断面の形状はアーク形状である。
本考案の一実施例によれば、前記背景壁（１０２）の縦断面の形状はアーク形状である。
本考案の一実施例によれば、前記揺動機構は、格納空間に取り付けられる制御回路を含み、前記レンズ固定台（５）と固定架（４）に、それぞれ磁石（８）と電磁コイル（９）とが装着され、前記制御回路が電磁コイル（９）に電気的に接続され、通電時、前記電磁コイル（９）が磁性を生じ、前記電磁コイル（９）と磁石（８）とが相互に引きつけ合ったり反発したりする。
本考案の一実施例によれば、前記揺動機構が格納空間に取り付けられる扇風機（１５）を含み、前記レンズ固定台（５）の上方にバッフル（１６）が設置されており、通電時、前記扇風機（１５）から生じる風力が前記バッフル（１６）を揺動駆動する。
本考案の一実施例によれば、前記揺動機構が格納空間に取り付けられるモーター（１７）を含み、前記レンズ固定台（５）に揺れ腕（１８）が設置され、前記モーター（１７）のブッシュに揺れ腕（１８）と当接するカム（１９）が設置され、通電時、前記モーター（１７）がカム（１９）を回動駆動し、前記カム（１９）が前記揺れ腕（１８）を揺動駆動する。
本考案の一実施例によれば、前記固定架（４）には発光素子（１２）を収容するための取付孔（４３）が形成され、先記固定架（４）は、相互に嵌まり込む左固定架（４１）と右固定架（４２）とを含み、前記取付孔（４３）がそれぞれ左固定架（４１）と右固定架（４２）に対称に成型される両半分に分かれる。本考案の一実施例によれば、前記固定架（４）に揺動ホルダ（１０）が装着され、前記レンズ固定台（５）にアーチ形のホルダ（１１）が設置され、前記揺動ホルダ（１０）が前記ホルダ（１１）の内側を貫通し、前記ホルダ（１１）と揺動ホルダ（１０）とがヒンジで連結される。
本考案の一実施例によれば、前記本体シェル（１）に光照強度を検知するための光センサー（６）が設置される。
本考案の一実施例によれば、前記発光素子（１２）がＬＥＤ変色灯である。
本考案の一実施例によれば、前記発光素子（１２）と凸レンズ（７）との間に変色板（１２１）が設置され、前記変色板（１２１）がホルダー（１２２）を介して固定架（４）に取り付けられ、通電時、発光素子（１２）の光線が、変色板（１２１）、凸レンズ（７）と筐体通孔（１０１）を貫通し、筐体通孔（１０１）から射出された光線が背景壁（１０２）に投射する。
本考案の一実施例によれば、前記固定架（４）に取り付けられる光制御スイッチ（２２）を更に含み、前記光制御スイッチ（２２）が発光素子（１２）に接続される。
本考案の一実施例によれば、前記光制御スイッチ（２２）に、発光素子（１２）と接続される遅延装置が接続されている。
本考案による燭光を模擬した電子ロウソクの作動原理は、次の通りである。
通電時、発光素子の光線がレンズを介して平行に射出し、この平行に射出した光線が筐体通孔を貫通して背景壁に投射する。背景壁に楕円形の光影を形成し、その外形が火焔によく似る。なお、揺動機構もレンズ固定台を固定架の回りに揺動駆動し、レンズがレンズ固定台と共に揺動し、背景壁にある楕円形の光影も揺らめくため、真実な火焔を模擬する。
【考案の効果】
【０００５】
本考案による燭光を模擬した電子ロウソクの有益な効果は以下である。（１）通電時、揺動機構がレンズをレンズ固定台に従って共に揺動駆動し、レンズから射出された光線が、背景壁上に火焔によく似る楕円形の光影を形成酷し、この楕円形の光影が揺らめくため、真実な火焔を模擬し、本物らしく見える。
（２）本考案の灯心も真実ロウソク灯心の形状を模擬し、非通電時にも、本物らしく見える。
【図面の簡単な説明】
【０００６】
【図１】本考案の燭光（実際のロウソクの炎）を模擬した電子ロウソクの揺動機構が上に向かって揺動する場合の作動原理図である。
【図２】本考案の電子ロウソクの揺動機構が水平にある場合の作動原理図である。
【図３】本考案の電子ロウソクの揺動機構が下に向かって揺動する場合の作動原理図である。
【図４】本考案の電子ロウソクの実施例１の構造見取図である。
【図５】本考案の電子ロウソクの実施例１の他の方位の構造見取図である。
【図６】本考案の電子ロウソクの実施例１の分解構造見取図である。
【図７】本考案の電子ロウソクの実施例１の本体シェルの断面構造見取図である。
【図８】本考案の電子ロウソクの実施例１の本体シェルが切り取られた後の構造見取図である。
【図９】本考案の電子ロウソクの実施例１の台座の構造見取図である。
【図１０】本考案の電子ロウソクのロウソク実施例２の本体シェルが切り取られた後の構造見取図である。
【図１１】本考案の電子ロウソクの実施例３の本体シェルが切り取られた後の構造見取図である。
【図１２】本考案の電子ロウソクの実施例４の本体シェルが切り取られた後の構造見取図である。
【図１３】本考案の電子ロウソクの実施例５の本体シェルが切り取られた後の構造見取図である。
【図１４】本考案の電子ロウソクの実施例６の本体シェルが切り取られた後の構造見取図である。
【考案を実施するための形態】
【０００７】
図１〜図３は本考案による燭光を模擬した電子ロウソクの作動原理図であり、図１は揺動機構が上に向かって揺動する場合の作動原理図であり、図２は揺動機構が水平にある場合の作動原理図であり、図３は揺動機構が下に向かって揺動する場合の作動原理図である。
発光素子１２から射出された光線は、凸レンズ７を屈折して平行に出射し、平行に射出された光線が背景壁１０２上に、ロウソクの炎（燃焼の火焔）によく似た楕円形の光影を形成する。凸レンズ７はレンズ固定台５に取り付けられる。レンズ固定台５はレバー機構である。レンズ固定台５の末端に力Ｆを加えると、凸レンズ７がレンズ固定台５の先端で揺動するため、楕円形の光影が背景壁１０２上に揺らめき、真実な火焔（ロウソクの炎）を視覚的に模擬する。
【実施例１】
【０００８】
図４〜図９に示すように、本考案の燭光を模擬した電子ロウソクは、相互に接続されている本体シェル１と本体台座２とを含む。本体シェル１と本体台座２とが格納空間を形成し、その中に本体シェル１の上端に、灯心３と筐体通孔１０１と背景壁１０２が設置されている。灯心３は実際のロウソクの芯の形状を模擬している。灯心３は、筐体通孔１０１と背景壁１０２との間に設置されている。格納空間には、相互に連動するように連結される固定架４とレンズ固定台５が配置される。この格納空間に、レンズ固定台５を固定架４の回りに揺動駆動するための揺動機構が取り付けられている。固定架４に発光素子１２が、固定台５に凸レンズ７が取り付けられており、発光素子１２と凸レンズ７との間に間隙がある。通電時、発光素子１２からの光線が、順次凸レンズ７と筐体通孔１０１を通る。筐体通孔１０１から射出された光線が、背景壁１０２に投射して火焔が見える。揺動機構がレンズ固定台５を駆動することで、凸レンズ７が自由に揺動すると、凸レンズ７により背景壁１０２に結像して投射された火焔（炎）は、揺れ動く。具体的には、筐体通孔１０１から射出された光線が、背景壁１０２上に火焔によく似た楕円形の光影を形成する。灯心３は筐体通孔１０１と背景壁１０２との間に設置されているので、楕円形の光影があたかも灯心３の燃焼する炎のように見える効果が期待できる。通電時は、揺動機構が凸レンズ７をレンズ固定台５と共に揺動駆動し、楕円形の光影も背景壁１０２で揺らめくため、真の火焔のように見える。なお、本考案の灯心３もロウソクの灯心の形状に模擬させているので、非通電時にも、本物のように見える。本考案の電子ロウソクは、通電時と非通電時にかかわらず、実際のロウソクの使用効果を模擬できる。
【０００９】
前記本体シェル１の上端に凹溝１０３が形成されている。凹溝１０３の底部に、灯心３と筐体通孔１０１がそれぞれ設置され、前記凹溝１０３と背景壁１０２が一体に成型される。具体的には、凹溝１０３の上端面は不規則の端面に形成し、前部（図４で手前）が低く後部を高くし、一つの切欠を形成するため、ロウソクが燃焼する時の液状化による不規則変化を模擬することができる。その結果本考案の電子ロウソクは、より本物に見える。
前記凹溝１０３の縦断面の形状はアーク形状である。この構成により、ロウソクが燃焼する時に、灯心３付近にあるロウが熔融化する効果を模擬し、本考案の電子ロウソクは、使用時により本物らしくみえる。
前記背景壁１０２の縦断面の形状はアーク形状である。このような構成により、ロウソクが燃焼する時に、灯心３付近にある蝋（ロウ）が熔融化する効果を模擬し、本考案の電子ロウソクは、使用時により本物らしくみえる。
【００１０】
前記揺動機構は、格納空間に取り付けられる制御回路を含む。レンズ固定台５と固定架４に、それぞれ磁石８と電磁コイル９が装着される。制御回路が電磁コイル９と電気的に接続され、通電時、電磁コイル９が磁性を生じ、電磁コイル９と磁石８とが相互に引きつけ合ったり反発したりする。具体的に、制御回路は、電磁コイル９にランダムなパルスの電力を提供し、電磁コイル９に生じる磁性がプラスになったりマイナスになったり、その磁力も大きくなったり小さくなったりし、通電時、電磁コイル９に生じる磁性が、磁石８と相互に引付或は反発し、レンズ固定台５を固定架４の回りに揺動駆動するため、背景壁１０２にある光影が揺らめく効果がある。
【００１１】
本体台座２に、制御回路が設置される主回路基板１４を取付け、主回路基板１４が本体台座２に挿入される。主回路基板１４が損壊されて補修する必要がある場合、適時に交換でき補修に便利である。
制御回路が発光素子１２と電気的に接続される。具体的には、制御回路がランダムなパルスの電力を提供し、発光素子１２の光照強度を制御することで、発光素子１２の発する光を明るくしたり暗くたりして、使用時により本物らしくみえる。
【００１２】
固定架４には発光素子１２を収容するための取付孔４３が形成される。固定架４は、相互に嵌まり込む左固定架４１と右固定架４２を含む。取付孔４３がそれぞれ左固定架４１と右固定架４２に対称に成型される両半分に分かられる。具体的に、固定架４を複数のモジュールに分けるように設計し、単一モジュールの構造が、簡単で、加工と組立に便利となり、加工のコストを減少させる。単一モジュールが損壊された場合でも、適時に取替とメンテナンスができ、補修コストが低下する。
【００１３】
前記固定架４に揺動ホルダ１０が装着され、レンズ固定台５にアーチ形のホルダ１１が設置され、揺動ホルダ１０がアーチ形のホルダ１１の内側を貫通し、アーチ形のホルダ１１と揺動ホルダ１０とがヒンジで連結される。具体的に、揺動ホルダ１０が固定架４に固定され、アーチ形のホルダ１１が揺動ホルダ１０を支点としてその回りに往復揺動する。その結果、構造が簡単で、揺動が機動的である利点がある。
【００１４】
レンズ固定台５に制限溝５１が設置され、固定架４に制限溝５１の側壁と当接する支持アーム４４が設置され、揺動機構がレンズ固定台５を揺動駆動する時、レンズ固定台５が所定の角度に揺動され、支持アーム４４が制限溝５１の側壁に当接する。支持アーム４４と制限溝５１とが相互に協働することで、レンズ固定台５の揺動角度を調節でき、レンズ固定台５の揺動角度が過大することを防止するため、本物らしくみえる。
【００１５】
前記本体シェル１に光照強度を検知するための光センサー６が設置される。本体台座２に等級切換スイッチ２０が取り付けられており、切換スイッチ２０が「開放（ｏｎ）」、「閉鎖（ｏｆｆ）」と「自動（ＡＵＴＯ）という３つの機能を有する。切換スイッチ２０を自動（ＡＵＴＯ）に設定すると、光センサー６が外界周囲の光照強度を自動に検知でき、夜間に自動に点灯でき、本考案の電子ロウソクの実用性が上がる。
更に本体シェル１に精油を収容する精油溝１０４が設置される。本考案の電子ロウソクは、使用時、本物のロウソクの火焔を模擬できるだけでなく、使用者にも快適な香りのある環境を提供し、使用者のストレスを緩和できる。精油溝１０４の下方に更に加熱装置を設置することで、精油の散布効果を強化させ、使用者がより快適に感じることができる。
前記本体台座２には更に電池１３を収容する電池溝２１が設置される。この構成により、本考案は電池１３で給電し携帯に便利となる。
【００１６】
本考案の電子ロウソクは、更ＵＳＢインターフェース１０５の設置により或いは電線により外部電源から給電でき、携帯と充電に便利となる。本考案の電子ロウソクの実用性が上がる。
前記発光素子１２が、ＬＥＤ変色灯とする。発光素子１２に通電した後、ＬＥＤ変色灯が点滅して異なる色の火焔をできるため、多彩な炎を現れ、本本考案を魅力的となる。
【実施例２】
【００１７】
本実施例２は、実施例１に対し以下の点で異なる。
図１０に示すように、本実施例２において、前記背景壁１０２が本体シェル１の上方に位置する。実施例１との差異は、背景壁１０２の形状と位置が異るだけにある。
【実施例３】
【００１８】
本実施例３は、実施例１に対し以下の点で異なる。
図１１に示すように、前記揺動機構が格納空間に取り付けられる扇風機１５を含み、レンズ固定台５の上方にバッフル１６が設置されている。通電時、扇風機１５から生じる風力が前記バッフル１６を揺動駆動する。具体的には、レンズ固定台５と凸レンズ７とバッフル１６が相互に固定され、扇風機１５から生じる風力がバッフル１６を揺動駆動すると、レンズ固定台５と凸レンズ７とも揺動するため、背景壁１０２上の光影が揺らめく効果を達成できる。
【実施例４】
【００１９】
本実施例４は、実施例１に対し以下の点で異なる。
図１２に示すように、前記揺動機構が格納空間に取り付けられるモーター１７を含む。レンズ固定台５に揺れ腕１８が設置され、モーターブッシュに揺れ腕１８と当接されるカム１９が設置される。通電時、モーター１７がカム１９を回動駆動し、カム１９が前記揺れ腕１８を揺動駆動する。具体的には、揺れ腕１８がカム１９の回動行程通路に設置され、モーター１７がカム１９を回転駆動する時、カム１９が揺れ腕１８の末端に間欠的に衝突するため、揺れ腕１８を無秩序に揺動させ、レンズ固定台５と凸レンズ７とも揺動するため、背景壁１０２上の光影が揺らめく効果を達成できる。
【実施例５】
【００２０】
本実施例５は、実施例１に対し以下の点で異なる。
図１３に示すように、前記発光素子１２と凸レンズ７との間に変色板１２１が設置され、前記変色板１２１がホルダー１２２を介して固定架４に取り付けられ、通電時、発光素子１２の光線が順次に変色板１２１、凸レンズ７と筐体通孔１０１を貫通し、筐体通孔１０１から射出された光線が背景壁１０２に投射する。具体的に、発光素子１２に通電した後、発光素子１２の発する光線は、変色板１２１上にある異なる色の変色レンズを利用して、変色板１２１の連続回転により、発光素子１２の光線が変色板１２１を貫通することで、異なる色火焔を点滅して、実施例１と同じ効果を達成できる。
【実施例６】
【００２１】
本実施例６は、実施例１に対し以下の点で異なる。
図１４に示すように、固定架４に取り付けられる光制御スイッチ２２を更に含み、前記光制御スイッチ２２が発光素子１２と接続される。前記光制御スイッチ２２には発光素子１２と接続される遅延装置が接続されている。具体的には、本考案の電子ロウソクが消灯される場合、使用者が火焔へ送風するか或は本考案を揺動することで、光制御スイッチ２２を揺れ動かせる。光制御スイッチ２２の両端に電流変化を発生するため、発光素子１２を消灯させ、火焔の吹き消られるか或いは振り切る目的を達成できる。本考案は前記光制御スイッチ２２に遅延装置が接続され、遅延装置で光制御スイッチ２２の振動時期を設定することで、より一層発光素子１２の発光或は消灯の正確さを保証でき、より一層本考案の電子ロウソクの迫真効果を増強させる。
光制御スイッチ２２が公知技術であり、ここで光制御スイッチ２２の詳細構造の説明は割愛する。
【００２２】
以上の説明は、本考案の一実施例に関するもので、この技術分野の当業者であれば、本発明の種々の変形例を考え得るが、それらはいずれも本考案の技術的範囲に包含される。実用新案登録請求の範囲の構成要素の後に記載した括弧内の番号は、図面の部品番号に対応し、考案の容易なる理解の為に付したものであり、考案を限定的に解釈するために用いてはならない。また、同一番号でも明細書と特許請求の範囲の部品名は必ずしも同一ではない。これは上記した理由による。「少なくとも１つ或いは複数」、「と／又は」は、それらの内の１つに限定されない。例えば「Ａ，Ｂ，Ｃの内の少なくとも１つ」は「Ａ」、「Ｂ」、「Ｃ」単独のみならず「Ａ，Ｂ或いはＢ，Ｃ更には又Ａ，Ｂ，Ｃ」のように複数のものを含んでもよい。「Ａ，Ｂ，Ｃの内の少なくとも１つ」は、Ａ，Ｂ，Ｃ単独のみならずＡ，Ｂの組合せＡ，Ｂ，Ｃの組合せでもよい。「Ａ，Ｂと／又はＣ」は、Ａ，Ｂ，Ｃ単独のみならず、Ａ，Ｂの２つ、或いはＡ，Ｂ，Ｃの全部を含んでもよい。本明細書において「Ａを含む」「Ａを有する」は、Ａ以外のものを含んでもよい。特に記載のない限り、装置又は手段の数は、単数か複数かを問わない。
【符号の説明】
【００２３】
１…本体シェル、１０１…筐体通孔、１０２…背景壁、１０３…凹溝、１０４…精油溝、１０５…ＵＳＢインターフェース、２…本体台座、２１…電池溝、３…灯心、４…固定架、４１…左固定架、４２…右固定架、４３…が取付孔、４４…支持アーム、５…レンズ固定台、５１…制限溝、６…光センサー、７…レンズ、８…磁石、９…電磁コイル、１０…揺動ホルダ、１１…アーチ形のホルダ、１２…発光素子、１３…電池、１４…主回路基板、１５…扇風機、１６…バッフル、１７…モーター、１８…揺れ腕、１９…カム、２０…等級切換スイッチ、１２１…変色板、１２２…ホルダー、２２…光制御スイッチ。
【図１】
0003194795.tif 000003
【図２】
0003194795.tif 000004
【図３】
0003194795.tif 000005
【図４】
0003194795.tif 000006
【図５】
0003194795.tif 000007
【図６】
0003194795.tif 000008
【図７】
0003194795.tif 000009
【図８】
0003194795.tif 000010
【図９】
0003194795.tif 000011
【図１０】
0003194795.tif 000012
【図１１】
0003194795.tif 000013
【図１２】
0003194795.tif 000014
【図１３】
0003194795.tif 000015
【図１４】
0003194795.tif 000016